(57)【要約】【課題】夏季において室内温度の上昇を確実に防止できる断熱層の役割をする空間を備えたカーテンウオールユニットとする。【解決手段】上枠３０と下枠３１と左右の縦枠３２を方形枠組みした枠体３３に室外側のガラス１１と室内側のガラス１２を取付けて空間１３を有するカーテンウオールユニットとし、その上枠３０に空気導入部１５と空気排出部１６を見付け方向に位置をずらして形成し、前記下枠３１に空気流入部１４を形成することで、下のカーテンウオールユニットの空気導入部１５から導入した外気が上のカーテンウオールユニットの空気流入部１４を通って空間１３に流入し、その空間１３内の空気が空気排出部１６から室外に排出されるようにする。【選択図】図２
2005127028.tif 000002
【特許請求の範囲】
【請求項１】
室外側のパネルと室内側のパネルの間に空間を有するカーテンウオールユニットで、その下部に空気流入部、上部に空気導入部と空気排出部をそれぞれ備え、
前記空気流入部はカーテンウオールユニットの下面に開口していると共に、前記空間に連通し、
前記空気導入部はカーテンウオールユニットの上部室外側面と上面にそれぞれ開口し、
前記空気排出部は、カーテンウオールユニットの上部室外側面に開口していると共に、空間に連通し、この空気排出部と前記空気導入部はカーテンウオールユニットの見付け方向に位置がずれていることを特徴とするカーテンウオールユニット。
【請求項２】
上枠と下枠と左右の縦枠を方形枠組みした枠体に室外側のパネルと室内側のパネルを取付け、その室外側のパネルと室内側のパネルとの間に空間を有するカーテンウオールユニットとし、
前記下枠に、その下面に開口し、かつ前記空間に連通した空気流入部を形成し、
前記上枠に、その室外側面と上面に開口した空気導入部と、その室外側面に開口し、かつ前記空間に連通した空気排出部を、見付け方向に位置をずらして形成したことを特徴とするカーテンウオールユニット。
【請求項３】
上枠は、室外側に開口した凹陥部を有する形状で、
前記凹陥部の上横壁に空気導入孔が形成され、その空気導入孔と凹陥部で空気導入部を形成し、
前記凹陥部の底壁に、空間に連通した空気排出孔が形成され、その空気排出孔と凹陥部で空気排出部を形成し、
下枠に、空間に連通した空気流入孔を形成して空気流入部とした請求項２記載のカーテンウオールユニット。
【請求項４】
上枠の凹陥部に空気導入孔と空気排出孔を仕切る仕切部材を設けた請求項３記載のカーテンウオールユニット。
【請求項５】
上枠の凹陥部における底壁の上部寄りに空気排出孔を形成し、
前記上枠の凹陥部における室外側寄り上部に遮蔽部材を、その凹陥部の底壁と離隔して設けた請求項３又は４記載のカーテンウオールユニット。
【請求項６】
室外側のパネルと室内側のパネルの間に空間を有するカーテンウオールユニットが上下に複数連設してなるカーテンウオールであって、
前記カーテンウオールユニットは、その下部に空気流入部、上部に空気導入部と空気排出部をそれぞれ備え、
前記空気流入部はカーテンウオールユニットの下面に開口していると共に、前記空間に連通し、
前記空気導入部はカーテンウオールユニットの上部室外側面と上面にそれぞれ開口し、
前記空気排出部は、カーテンウオールユニットの上部室外側面に開口していると共に、空間に連通し、この空気排出部と前記空気導入部はカーテンウオールユニットの見付け方向に位置がずれ、
前記下側のカーテンウオールユニットの前記空気導入部から導入した空気が、上側のカーテンウオールユニットの前記空気流入部から空間に流入するようにしたことを特徴とするカーテンウオール。
【発明の詳細な説明】
【技術分野】
【０００１】
本発明は、カーテンウオールを構成するカーテンウオールユニット及びそのカーテンウオールユニットを用いたカーテンウオールに関する。
【背景技術】
【０００２】
特許文献１に、ダブルスキンカーテンウオールと呼ばれるカーテンウオールが開示されている。
前述のカーテンウオールは、建物躯体に室外側のパネルを取付けてアウタースキンとし、前記建物躯体に室内側のパネルを取付けてインナースキンとし、このアウタースキンとインナースキンとの間に空間を形成し、その空間内に外気が流通するようにしてある。
このカーテンウオールは、アウタースキンとインナースキンとの間の空間が断熱層としての役割を有するので、冬季においては外気によって室内温度が低下することを防止できる。
一方、夏季においては、この空間内に外気を通過させて室内温度の上昇を防止できる。
【０００３】
【特許文献１】特開２００３−２５３７９４号公報
【発明の開示】
【発明が解決しようとする課題】
【０００４】
前述した従来のカーテンウオールは、建物の施工現場において建物躯体に室外側のパネル、室内側のパネルを取付けるので、そのパネル取付け作業に時間がかかり、作業効率が悪い。
また、夏季においてはアウタースキンとインナースキンとの間の空間に、その空間下部から外気を導入し、その導入した外気を空間内を通過して、その空間上部から排出すると共に、その空間内を通過する際に加熱されて排出空気が高温となるので、上下に隣接する下の空間から排出された高温の排出空気が上の空間に導入され、その上の空間の上部から排出される排出空気がより高温となるから、室内温度の上昇を防止できないことがある。
【０００５】
本発明は、前述の課題を解決するためになされたもので、その目的は、建物躯体に室内側のパネル、室外側のパネルを簡単に取付けでき、冬季においては室内温度の低下を防止でき、かつ夏季において室内温度の上昇を確実に防止できるカーテンウオールユニット及びカーテンウオールを提供することである。
【課題を解決するための手段】
【０００６】
第１の発明は、室外側のパネルと室内側のパネルの間に空間を有するカーテンウオールユニットで、その下部に空気流入部、上部に空気導入部と空気排出部をそれぞれ備え、
前記空気流入部はカーテンウオールユニットの下面に開口していると共に、前記空間に連通し、
前記空気導入部はカーテンウオールユニットの上部室外側面と上面にそれぞれ開口し、
前記空気排出部は、カーテンウオールユニットの上部室外側面に開口していると共に、空間に連通し、この空気排出部と前記空気導入部はカーテンウオールユニットの見付け方向に位置がずれていることを特徴とするカーテンウオールユニットである。
【０００７】
このカーテンウオールであれば、そのカーテンウオールユニットを組み立てた状態で建物躯体に取付けることで、その建物躯体に室外側のパネルと室内側のパネルを取付けできる。
また、空間内の空気が断熱層の役割を果たす。
また、下のカーテンウオールユニットの空気導入部から外気が導入され、その外気が上のカーテンウオールユニットの空気流入部から空間に流入し、その空間内の空気は空気排出部から室外に排出されるので、その空間内に空気が流通する。
また、空気導入部と空気排出部が見付け方向に位置がずれているから、空気排出部から排出された空間内の空間が、空気導入孔から導入されることがない。
【０００８】
第２の発明は、上枠と下枠と左右の縦枠を方形枠組みした枠体に室外側のパネルと室内側のパネルを取付け、その室外側のパネルと室内側のパネルとの間に空間を有するカーテンウオールユニットとし、
前記下枠に、その下面に開口し、かつ前記空間に連通した空気流入部を形成し、
前記上枠に、その室外側面と上面に開口した空気導入部と、その室外側面に開口し、かつ前記空間に連通した空気排出部を、見付け方向に位置をずらして形成したことを特徴とするカーテンウオールユニットである。
【０００９】
このカーテンウオールユニットによれば、第１の発明のカーテンウオールと同様であり、しかも枠体に室内側、室外側のパネルを取付け、その上枠に空気導入部と空気排出部を形成し、下枠に空気流入部を形成したことにより、そのカーテンウオールユニットの取り扱いが容易で、建物躯体に容易に取付けできる。
【００１０】
第３の発明は、第２の発明において上枠は、室外側に開口した凹陥部を有する形状で、
前記凹陥部の上横壁に空気導入孔が形成され、その空気導入孔と凹陥部で空気導入部を形成し、
前記凹陥部の底壁に、空間に連通した空気排出孔が形成され、その空気排出孔と凹陥部で空気排出部を形成し、
下枠に、空間に連通した空気流入孔を形成して空気流入部としたカーテンウオールユニットである。
【００１１】
このカーテンウオールユニットであれば、上枠の凹陥部から外気を導入すると共に、空間内の空気を室外に排出するので、その外気導入、空間内の空気排出がスムーズである。
【００１２】
第４の発明は、第３の発明において上枠の凹陥部に空気導入孔と空気排出孔を仕切る仕切部材を設けたカーテンウオールユニットである。
【００１３】
このカーテンウオールユニットであれば、空気排出孔から排出された空気が空気導入孔から導入されることを確実に防止できる。
【００１４】
第５の発明は、第３又は第４の発明において上枠の凹陥部における底壁の上部寄りに空気排出孔を形成し、
前記上枠の凹陥部における室外側寄り上部に遮蔽部材を、その凹陥部の底壁と離隔して設けたカーテンウオールユニットである。
【００１５】
このカーテンウオールユニットであれば、雨水等が遮蔽部材に当たり、空気導入孔、空気排出孔に雨水等が直接吹き込むことがない。
【００１６】
第６の発明は室外側のパネルと室内側のパネルの間に空間を有するカーテンウオールユニットが上下に複数連設してなるカーテンウオールであって、
前記カーテンウオールユニットは、その下部に空気流入部、上部に空気導入部と空気排出部をそれぞれ備え、
前記空気流入部はカーテンウオールユニットの下面に開口していると共に、前記空間に連通し、
前記空気導入部はカーテンウオールユニットの上部室外側面と上面にそれぞれ開口し、
前記空気排出部は、カーテンウオールユニットの上部室外側面に開口していると共に、空間に連通し、この空気排出部と前記空気導入部はカーテンウオールユニットの見付け方向に位置がずれ、
前記下側のカーテンウオールユニットの前記空気導入部から導入した空気が、上側のカーテンウオールユニットの前記空気流入部から空間に流入するようにしたことを特徴とするカーテンウオールである。
【発明の効果】
【００１７】
本発明によれば、建物躯体に室内側のパネルと室外側のパネルを簡単に取付けできる。
また、空間が断熱層の役割をするので、冬季においては室内温度の低下を防止できる。
また、空間内の温度が上昇した場合には、その空間内に外気が流通するし、下のカーテンウオールユニットの空間内から排出された空気が上のカーテンウオールユニットの空間内に流入することがないので、夏季において室内温度の上昇を確実に防止できる。
【発明を実施するための最良の形態】
【００１８】
図１と図２に示すように、カーテンウオールユニット１０を建物躯体２０に上下、左右方向に順次隣接して取付けてカーテンウオールを構成している。
前記カーテンウオールユニット１０は、室外側のパネル１１（アウタースキン）と室内側パネル１２（インナースキン）との間に空間１３を有する。そのカーテンウオールユニット１０における下部に空気流入部１４を有し、上部に空気導入部１５と空気排出部１６を有する。
前記空気流入部１４は、カーテンウオールユニット１０の下面に開口していると共に、前記空間１３に連通している。
前記空気導入部１５は、カーテンウオールユニット１０の上部室外側面と上面に開口している。この空気導入部１５は空気流入部１４と見付け方向に同一位置であることが好ましいが、見付け方向に位置がずれても良い。
前記空気排出部１６は、カーテンウオールユニット１０の上部室外側面に開口していると共に、前記空間１３に連通し、その空間１３内の空気が室外に向けて排出される。
この空気排出部１６と前記空気導入口１５は見付け方向（面内方向）に位置がずれ、その空気排出部１６から排出された空気を空気導入口１５から空間１３内に導入しないようにしてある。
【００１９】
前記上下に隣接したカーテンウオールユニット１０における下のカーテンウオールユニット１０の空気導入部１５と上のカーテンウオールユニット１０の空気流入部１４が連通し、その空気導入部１５が空気流入部１４を経て上のカーテンウオールユニット１０の空間１３の下部に連通し、その空間１３の上部が空気排出部１６から室外に開口する。
よって、夏季においては空間１３内の空気が外気で加熱昇温して空間１３内に上昇気流が発生し、空気導入部１５、空気流入部１４から空間１３の下部に外気が流入し、その空間１３内の昇温した空気が空気排出部１６から室外に排出されるので、空間１３内に図２に矢印で示すように外気が流通する。
【００２０】
また、カーテンウオールユニット１０の空気排出部１６から排出された空気が空気導入部１５から導入されることがなく、下のカーテンウオールユニット１０の空間１３から排出された空気が再び空気導入部１５から導入されて上のカーテンウオールユニット１０の空間１３に流入することがない。
よって、夏季において下のカーテンウオールユニット１０の空間１３内で加熱昇温された空気が上のカーテンウオールユニット１０の空間１３内に流入することがないので、室内温度の上昇を確実に防止できる。
【００２１】
また、工場などでカーテンウオールユニット１０を組み立て、そのカーテンウオールユニット１０を施工現場で建物躯体２０に取付けることで、室外側のパネル１１、室内側のパネル１２を建物躯体２０に取付けでき、その取付け作業が簡単である。
【００２２】
次に、各部材の具体形状の一例を説明する。
前記カーテンウオールユニット１０は図１、図２に示すように上枠３０と下枠３１と左右の縦枠３２を方形状に連結した枠体３３を備え、この枠体３３の室外側寄りに室外側のパネル１１を取付けると共に、その枠体３３の室外側寄りに室内側のパネル１２を取付けて枠体３３の内周面と室内外側のパネル１１，１２で空間１３を形成している。
前記建物躯体２０は図２に示すように床スラブで、その室外側端部にファスナー２１で上枠３０が取付けてある。この上枠３０と上のカーテンウオールユニット１０の枠体３３の下枠３１が連結部２２で面外方向に動かないように連結される。
つまり、カーテンウオールユニット１０は１階部分（床スラブ間の上下寸法）と同様な上下寸法である。
【００２３】
前記上枠３０に空気導入部１５が、その上枠３０の室外側面と上面に開口して形成してあり、この上枠３０に空気排出部１６が空間１３と連通し、かつ室外側面に開口して形成してあり、その空気排出部１６と前記空気導入部１５は見付け方向に位置がずれている。
前記下枠３１に空気流入部１４が、その下面に開口しかつ空間１３に連通して形成してある。
【００２４】
すなわち、前記上枠３０は図３〜図６に示すように、室外側に開口した凹陥部３４を有する断面形状で、前記空間１３は、その上部の見込み寸法（室内外側方向寸法）が他の部分よりも小さい。
前記凹陥部３４を形成する室内外側方向に向う上横壁３４ａに空気導入孔３５を形成し、この空気導入孔３５と凹陥部３４で前述の空気導入部１５としてある。この実施の形態では、凹陥部３４の上横壁３４ａにおける長手方向両端寄り部分に空気導入孔３５が形成してある。
前記凹陥部３４を形成する上下方向に向う底壁３４ｂにおける前記空気導入孔３５と上枠長手方向（見付け方向）に離隔した部分に空気排出孔３６を形成し、この空気排出孔３６と前記凹陥部３４で前記空気排出部１６を形成している。
前記上枠３０の凹陥部３４における空気排出孔３６の長手方向両端部に仕切部材３７がそれぞれ設けてあり、この仕切部材３７によって空気排出孔３６から室外に排出された空気が前述の空気導入孔３５に向けて流れないようにしてある。
【００２５】
前記空気排出孔３６は、凹陥部３４の底壁３４ｂの上部寄りに形成されていると共に、この凹陥部３４の開口寄り（室外側寄り）に遮蔽部材３８が空気排出孔３６と対向して取付けてある。
例えば、左右の縦枠３２間に跨ってルーバー羽根３９が取付けられ、このルーバー羽根３９が凹陥部３４の開口寄りに位置している。このルーバー羽根３９に遮蔽部材３８が取付けてある。
【００２６】
このようであるから、空気導入部１５には図３に矢印で示すように凹陥部３４の下方寄りから外気が導入し、底壁３４ｂによって上向きに流れが変わるから、ほぼ鉤形状の外気流れとなる。
また、空気排出孔３６からの排出空気は図５に矢印で示すように遮蔽板３８に当たって下向きに流れ、凹陥部３４の下部寄りから室外に流れるから、ほぼクランク形状の排気流れとなる。
また、雨水等は遮蔽板３８に当たり、空気排出孔３６に直接吹き込むことがないので、雨水等が空間１３に入り込むことがない。
また、雨水等は遮蔽板３８に当たり、空気導入孔３５に直接吹き込むことがない。
【００２７】
前記下枠３１は図３、図４、図５に示すように、前記空気導入孔３５と対向した空気流入孔４０を有し、この空気流入孔４０が空間１３に開口して前述の空気流入部１４を形成している。
例えば、下枠３１は室外側の凹部４１と、その凹部４１を閉塞するカバー４２を有し、その凹部４１の底壁４１ａの長手方向両端寄り部分に大径孔４０ａがそれぞれ形成され、カバー４２にスリット孔４０ｂが長手方向に間隔を置いて複数形成されている。この大径孔４０ａとスリット孔４０ｂで前述の空気流入孔４０としてある。
【００２８】
前記上枠３０と下枠３１は、カーテンウオールユニット１０を上下に隣接して取付けた場合に、その空気導入孔３５と空気流入孔４０が連通すると共に、雨水等が浸入しないようにしてある。
例えば、上枠３０の空気導入孔３５の室内側、室外側と下枠３１の空気流入孔４０（大径孔４０ａ）の室内側、室外側にレインバリア４３をそれぞれ装着し、この上枠３０のレインバリア４３と下枠３１のレインバリア４３を接触してある。
【００２９】
前記上枠３０は、上横材３０ａと縦材３０ｂの２部材で形成され、その縦材３０ｂはほぼＬ字形状である。その上横材３０ａの室外側寄りと縦材３０ｂで凹陥部３４を形成している。
前記上横材３０ａの室外側寄りに空気導入孔３５が形成され、縦材３０ｂの上部寄りに空気排出孔３６が形成してある。
前記縦材３０ｂの下部室外側端部に室外側のパネル１１が取付けてある。
このように、上枠３０を２部材で形成することで凹陥部３４を有する上枠３０を容易に形成できるし、その凹陥部３４の上下寸法を大きくできる。この縦材３０ｂは、本体３０ｃと下横材３０ｄとガラス押え３０ｅで形成されているが、一体でも良い。
なお、上枠３０は１つの部材で形成しても良いことは勿論である。
【００３０】
前記室外側のパネル１１は透光性のパネル、例えばガラスで、上枠３０の室外側部と下枠３１の室外側部と縦枠３２の室外側部とに亘って装着されている。
前記室内側のパネル１２は、図２に示すように、天井２３と上枠３０との間の耐火パネル１２ａと、その天井２３と下枠３１との間の透光性のパネル、例えばガラス１２ｂを備えている。
そして、前記ガラス１２ｂは開閉自在としてある。
前記ファスナー２１は床スラブの室外寄りを切欠きし、その部分の鋼板２１ａに固着されている。
【図面の簡単な説明】
【００３１】
【図１】カーテンウオールの一部分を示す外観図である。
【図２】図１のＡ−Ａ断面図である。
【図３】図２のＢ部拡大図である。
【図４】図３のＣ−Ｃ断面図である。
【図５】図４のＤ−Ｄ断面図である。
【図６】上下のカーテンウオールユニットの連結部分の一部破断斜視図である。
【符号の説明】
【００３２】
１０…カーテンウオールユニット、１１…室外側のパネル、１２…室内側のパネル、１３…空間、１４…空気流入部、１５…空気導入部、１６…空気排出部、２０…建物躯体、３０…上枠、３１…下枠、３２…縦枠、３３…枠体、３４…凹陥部、３４ａ…上横壁、３４ｂ…底壁、３５…空気導入孔、３６…空気排出孔、３７…仕切部材、３８…遮蔽部材、４０…空気流入孔。
【図１】
2005127028.tif 000003
【図２】
2005127028.tif 000004
【図３】
2005127028.tif 000005
【図４】
2005127028.tif 000006
【図５】
2005127028.tif 000007
【図６】
2005127028.tif 000008